(57)【要約】【課題】第一帯電手段へ付着した残トナーの蓄積に起因する画像不良などの不具合を抑制すること。【解決手段】トナー像を形成する像担持体と、該トナー像を中間転写体上に一次転写するための一次転写手段と、該トナー像を転写材上に二次転写するための二次転写手段と、二次転写後に前記中間転写体上に残った残トナーに対して所定の極性の電荷を与えるための第一帯電手段と、該残トナーの電荷量を均一化する第二帯電手段と、を有し、前記トナー画像を転写材上に形成し、前記残トナーを回収する画像形成装置において、前記第一帯電手段に付着した前記残トナーに対して前記二次転写時と逆極性の電圧を印加することにより、前記残トナーを前記中間転写体に再転写する行程を有し、前記第一帯電手段の回転周期は、前記第二帯電手段の回転周期よりも短いことを特徴とする。【選択図】　図１
2004117642.tif 000002
【特許請求の範囲】
【請求項１】
トナー像を形成する像担持体と、該トナー像を中間転写体上に一次転写するための一次転写手段と、該トナー像を転写材上に二次転写するための二次転写手段と、二次転写後に前記中間転写体上に残った残トナーに対して所定の極性の電荷を与えるための第一帯電手段と、該残トナーの電荷量を均一化する第二帯電手段と、を有し、前記トナー画像を転写材上に形成し、前記残トナーを回収する画像形成装置において、
前記第一帯電手段に付着した前記残トナーに対して前記二次転写時と逆極性の電圧を印加することにより、前記残トナーを前記中間転写体に再転写する行程を有し、
前記第一帯電手段の回転周期は、前記第二帯電手段の回転周期よりも短いことを特徴とする画像形成装置。
【請求項２】
請求項１記載の画像形成装置において、
前記第一帯電手段の周速は、前記第二帯電手段の周速よりも速いことを特徴とする画像形成装置。
【請求項３】
請求項１又は請求項２記載の画像形成装置において、
前記第一帯電手段の周長は、前記第二帯電手段の周長よりも短いことを特徴とする画像形成装置。
【請求項４】
トナー像を形成する像担持体と、該トナー像を中間転写体上に一次転写するための一次転写手段と、該トナー像を転写材上に二次転写するための二次転写手段と、二次転写後に前記中間転写体上に残った残トナーに対して所定の極性の電荷を与えるための第一帯電手段と、該残トナーの電荷量を均一化する第二帯電手段と、を有し、前記トナー画像を転写材上に形成し、前記残トナーを回収する画像形成装置において、
前記第一帯電手段に付着した前記残トナーに対して前記二次転写時と逆極性の電圧を印加することにより、前記残トナーを前記中間転写体に再転写する行程を有し、
前記逆極性の電圧を印加する時間を、前記第二帯電手段の回転周期より短くすることを特徴とする画像形成装置。
【請求項５】
請求項１乃至請求項４に記載の画像形成装置において、
前記第一帯電手段から前記中間転写体上に転写された前記残トナーを、前記第二帯電手段によって帯電する行程を有し、
第二帯電手段に印加する電圧のオフ若しくは切換え又は第二帯電手段の離間は、
前記帯電行程開始から第二帯電手段の回転周期だけ後のタイミングから、第一帯電手段に逆極性の電圧を印加した時間だけ経過するまでの時間帯以外のタイミングで行う、ことを特徴とする画像形成装置。
【発明の詳細な説明】
【０００１】
【発明の属する技術分野】
本発明は、複写機、プリンタなどの画像形成装置に関する。
【０００２】
【従来の技術】
従来の技術を説明する。図９は従来の中間転写ベルト方式のカラー画像形成装置の一例である。１は像担持体としての感光体ドラムで、アルミなどからなる芯金の外周面に有機感光体（ＯＰＣ）またはＡ−Ｓｉ、ＣｄＳ、Ｓｅ等から成る光導電体を塗布して構成されており、外周速度Ｖ（以下、プロセス速度と呼ぶ）で矢印Ｃ１方向へ回転する。また、３は感光体ドラム１の表面に潜像を形成するための露光装置で、３ａは露光位置である。
【０００３】
６０は中間転写体としての中間転写ベルトで、ＥＰＤＭ、ＮＢＲ、ウレタン、シリコンゴムなどのゴム、またはＰＩ、ＰＣ、ＰＶＤＦ、ＥＴＦＥ、ＰＥＴ、ＰＣ／ＰＡＴ、ＥＴＦＥ／ＰＣ、ＥＴＦＥ／ＰＡＴ、ＰＣ／ＰＡＴなどの樹脂から成っている。中間転写ベルト６０は、二次転写対向ローラでもある駆動ローラ６ｂ、張架ローラ６ｃの２本のローラ上に張架され、駆動ローラ６ｂが不図示のモーターにより回転することにより、矢印Ｃ３方向にプロセス速度Ｖで駆動される。また、中間転写ベルト６０は、周方向に１ヶ所、周方向に垂直な方向の端部に、光学センサ５によって中間転写ベルト６０の表面と識別できる位置検知部材５ａを設けてあり、回転時においては、位置検知部材５ａが検知部５ｂを通過するのを光学センサ５で検知（以下、ＴＯＰ検知）した後、それを基準に本体内部で時間をカウントすることによって、回転位相を認識することができる。
【０００４】
Ｔ１は感光体ドラム１と中間転写ベルト６０との接触部、すなわち一次転写部Ｔ１である。Ｌ１は感光体ドラム１の露光位置３ａから反時計回りに一次転写部Ｔ１までの距離であり、Ｓは中間転写ベルト６０上の一次転写部Ｔ１から上流に距離Ｌ１の位置とする。７ｂは、軸上に導電性スポンジ層を設けた一次転写手段としての一次転写ローラであり、中間転写ベルト６０を介して感光体ドラム１に接している。
【０００５】
１００ｂ、１０１ｂは中間転写ベルト６０に従動し同周速で回転する帯電手段としての帯電ローラ（第一帯電手段１００ｂ、第二帯電手段１０１ｂ）で、周長は１００Ｌ、１０１Ｌであり、中間転写ベルト６０に対して不図示の当接離間の機構を有し、所望の時間に当接できる。１００ａ、１０１ａはそれぞれ帯電ローラ１００ｂ、１０１ｂに電圧を印加する直流電圧電源、交番電圧電源である。尚駆動ローラ６ｂを対向電極とすることによって、これらの帯電ローラ１００ｂ、１０１ｂによって帯電を行う際の帯電効率を上げている。
【０００６】
Ｌ２、Ｌ３は、それぞれ中間転写ベルト６０上における帯電ローラ１００ｂ、１０１ｂ、一次転写ローラ７ｂの隣のローラとの間の距離である。尚、本画像形成装置の画像最大周長をＬｘ１とする。
【０００７】
以下、図９に沿って画像形成動作について説明する。感光体ドラム１は不図示の駆動手段によって矢印Ｃ１方向に駆動され、帯電ローラ２により所定の電位に均一に帯電される。中間転写ベルト６０のＴＯＰ検知をしたタイミングで、露光装置３により露光が開始され、イエローの画像模様に従った信号による光が、表面を均一に帯電された感光体ドラム１に走査され、潜像が形成される。
【０００８】
潜像形成開始後、さらに感光体ドラム１が矢印Ｃ１方向に回転すると、支持体４に支持された現像装置４ａ、４ｂ、４ｃ、４ｄのうち、イエロートナーが入った現像装置４ａが感光体ドラム１に対向するよう支持体４は矢印Ｃ２方向に回転し、選択された現像装置４ａの負極性のトナーによって可視化される。
【０００９】
現像されたトナー像は、さらに感光体ドラム１が矢印Ｃ１方向に回転し、一次転写部Ｔ１に来た時、一次転写ローラ７ｂに、感光体ドラム１の芯金を対向電極として、高圧電源７ａから正極性のバイアスが印加されることによって、中間転写ベルト６０上に一次転写される。感光体ドラム１上の転写残トナーは、感光体ドラムクリーナー１３によりクリーニングされる。
【００１０】
露光開始から（Ｌ１／Ｖ）だけ経過した後には、感光体ドラム１上の画像の書き始めの点と、中間転写ベルト６０上の露光開始時にＳを通過した点６Ｓ（不図示）は、Ｔ１の位置で一致する。即ち、中間転写ベルト６０に対して画像は６Ｓを先端に反時計回りに形成される。
【００１１】
イエロートナー像の現像が終了すると、現像器の切換え動作を行う。画像先端が現像部に達してから（Ｌｘ１／Ｖ）だけ時間が経過し、現像が終了したら、支持体４が反時計方向に回転し、次のマゼンタトナーが入った現像装置４ｂが感光体ドラム１に対向する位置に位置決めされる。さらに次のＴＯＰ検知が行われたら同様の動作を繰り返し、マゼンタ色、シアン色、ブラック色について現像、転写が行われ、中間転写ベルト６０上には複数色のトナー像が形成される。
【００１２】
このとき、４色の画像は全て６Ｓを画像の先端として転写されるので、４色のトナー像のレジは取られている。４色のトナー像が中間転写ベルト６０上に転写されると、中間転写ベルト６０の移動と同期を取って、レジストローラＲから転写材Ｐが搬送され、一次転写ローラ７ｂと同様な構成から成る二次転写手段としての二次転写ローラ９が転写材Ｐを介して中間転写ベルト６０に当接し、二次転写対向ローラ６ｄを対向電極として、不図示の高圧電源から正極性バイアスが印加され、中間転写ベルト６０上の４色のトナー像は一括して転写材Ｐ上に二次転写される。
【００１３】
４色のトナー像が転写された転写材Ｐは、従来公知の加熱、加圧の定着装置１１によって溶融固着されカラー画像が得られる。尚、モノカラー画像は、以上のプロセスに対して一色だけ現像、一次転写を行い、同様に二次転写、定着を行うことによって得られる。（以下、モノカラー印字モード）
次に二次転写の際に転写されずに中間転写ベルト６０上に残ったトナー、すなわち二次転写残トナーのクリーニング行程を図９に沿って示す。尚、ここでは帯電ローラを２本有する装置を示した。従来の帯電ローラを１本しか用いない装置では、正極性の交番電圧のみで二次転写残トナーの帯電を行ったため、保持する電荷量の少ないトナーが飛散することがあったが、本構成はトナー飛散を抑制し、さらに以下に示すように帯電性能の向上も図ったものである。
【００１４】
二次転写残トナーには、直流電圧電源１００ａより正極性の直流電圧の印加された帯電ローラ（第一帯電手段）１００ｂにより、正極性の電荷が付与される。尚、この帯電後に個々のトナー粒子が持つ電荷量は不均一であるが、トナー飛散を抑制しつつ帯電を行うことができる。
【００１５】
続いて二次転写残トナーは、交番電圧電源１０１ａより正極性の交番電圧の印加された帯電ローラ（第二帯電手段）１０１ｂにより、再び正極性の電荷が付与される。この帯電によって、トナー粒子の電気極性は正極性を保持しつつ、個々の粒子の持つ電荷量は均一化される。
【００１６】
続いて二次転写残トナーは一次転写部Ｔ１へ進み、次のページの１色目の一次転写のために正極性バイアスの印加された一次転写ローラ７ｂによって感光体ドラムへ静電的に転写され、中間転写ベルト６０より除去される。そして、感光体ドラム１へ転写された二次転写残トナーは感光体ドラムクリーナー１３に回収され、中間転写ベルト６０上の二次転写残トナーの除去は完了する。
【００１７】
以上の通常のページ間における二次転写残トナーの除去行程を図１０に示す。尚、図中では１から４色目の現像を「Ｄｅｖ１〜４」、一次転写を「Ｔｒ１−１〜４」、二次転写を「Ｔｒ２」、二次転写残トナーの帯電を「Ｃｈ２」、その一次転写部での回収を「ＲＥＴ」で示した。画像を形成するための一連の動作、すなわち印字シーケンスは、以上の画像形成行程、二次転写残トナー除去行程の繰り返しによって画像形成行程を繰り返して行う連続画像形成行程と、該連続画像形成行程の後に、中間転写体のクリーニングを行う後回転行程の、少なくとも二つの行程からなる（例えば、特許文献１参照。）。
【００１８】
【特許文献１】
特開平９−４４００７号公報（図２０）
【発明が解決しようとする課題】
しかしながら、上記従来例では、第一帯電手段に、二次転写残トナーを帯電する際に帯電しきれなかった負極性のトナーが付着し、さらに複数のページにわたって連続して画像を形成すると、付着トナーは蓄積する。蓄積が進むと、トナーが落ちて装置内部や転写材を汚したり、付着トナーが第一帯電手段の帯電性能を徐々に低下させ、二次転写残トナーの帯電不良によって回収不良が発生し、中間転写体のクリーニング性を低下させ、画像不良を引き起こした。特に、二次転写残トナーが多くなる、画像の印字率の高い場合や、二次転写性が低下する高温高湿、低音低湿環境下で、顕著であった。
【００１９】
そこで本発明の目的は、第一帯電手段へ付着した残トナーの蓄積に起因する画像不良などの不具合を抑制することである。
【００２０】
【課題を解決するための手段】
上記目的を達成するための、本発明の代表的な構成は、トナー像を形成する像担持体と、該トナー像を中間転写体上に一次転写するための一次転写手段と、該トナー像を転写材上に二次転写するための二次転写手段と、二次転写後に前記中間転写体上に残った残トナーに対して所定の極性の電荷を与えるための第一帯電手段と、該残トナーの電荷量を均一化する第二帯電手段と、を有し、前記トナー画像を転写材上に形成し、前記残トナーを回収する画像形成装置において、前記第一帯電手段に付着した前記残トナーに対して前記二次転写時と逆極性の電圧を印加することにより、前記残トナーを前記中間転写体に再転写する行程を有し、前記第一帯電手段の回転周期は、前記第二帯電手段の回転周期よりも短いことを特徴とする。
【００２１】
【発明の実施の形態】
以下、図面に沿って、本発明の実施形態について説明する。尚、従来の技術と同様の構成については同様の符号を付すことで説明を省略する。
【００２２】
（第１実施形態）
図１は本発明に係る画像形成装置の一例を示す図であり、電子写真プロセスを利用したカラーの画像形成装置を示す。１０２ｂ、１０３ｂは不図示の駆動機構によってそれぞれ周速Ｖａ、Ｖｂで回転する、帯電手段としての帯電ローラ（第一帯電手段１０２ｂ、第二帯電手段１０３ｂ）で、周長は両方１０２Ｌであり、中間転写体としての中間転写ベルト６０に対して不図示の当接離間の機構を有し、所望の時間に当接できる。１０２ａ、１０３ａはそれぞれ帯電ローラ１０２ｂ、１０３ｂに電圧を印加する直流電圧電源、交番電圧電源である。その他の記号が示す部材は図９と同様である。尚、Ｖａ、Ｖｂの間には以下の関係がある。
【００２３】
Ｖａ＞Ｖｂ　・・・▲１▼
【００２４】
図２は、本発明における付着トナー除去行程の一例としての、後回転行程における、各バイアスの印加タイミングを示す図である。本発明における印字シーケンスは、従来例と同様の画像形成行程、二次転写残トナー除去行程に、後回転時の付着トナー除去行程のみ、本発明特有の構成を採用したものである。以下、図２に沿って付着トナー除去行程について説明する。
【００２５】
帯電ローラ１０２ｂにおいては、二次転写残トナーの帯電後、吐出しバイアスへ切換えて、帯電ローラ１０２ｂの周上全面から付着トナーを吐出す。また帯電ローラ１０３ｂにおいては、吐出しトナーがニップを通過する時間帯に付着トナー帯電用のバイアスを印加する。さらに、この付着トナーの帯電によって帯電ローラ１０３ｂに付着したトナーが吐出されるまで、バイアスを印加しつづける。一次転写ローラ７ｂへの回収バイアスの印加は、帯電ローラ１０３ｂからの吐出しトナーの回収を終えるまで行う。
【００２６】
具体的には、プロセス速度Ｖが１２０ｍｍ／ｓ、帯電ローラ周速Ｖａ、Ｖｂが２００ｍｍ／ｓ、１５０ｍｍ／ｓ、帯電ローラ周長１０２Ｌが６０．０ｍｍ、Ｌ２、Ｌ３が１２．０ｍｍ、９４．２ｍｍである場合の付着トナー除去行程において、帯電ローラ１０２ｂにおいて、二次転写残トナーの帯電後、ローラ周期（１０２Ｌ／Ｖａ）＝０．３００ｓの間吐出しバイアスを印加する。また帯電ローラ１０３ｂにおいて、帯電ローラ１０２ｂにおける吐出し開始からＬ２／Ｖ＝０．１００ｓ後に、吐き出しトナー帯電用のバイアスの印加を開始し、（吐出し時間）＋（帯電ローラ１０３ｂの周期）＝１０２Ｌ×（１／Ｖａ＋１／Ｖｂ）＝０．７００ｓの間印加する。一次転写ローラ７ｂへの回収バイアスの印加は、帯電ローラ１０３ｂの吐出し終了からＬ３／Ｖ＝０．７８５ｓ後まで行う。
【００２７】
本構成では、帯電ローラ１０２ｂに付着したトナーを吐出しバイアスによって吐出すことによって、付着トナーの蓄積に起因する画像不良の発生を抑制できた。また本構成は、帯電ローラ１０２ｂからのトナーの吐出し時間が、帯電ローラ１０３ｂの周期より短いことによっても利点を持つ。
【００２８】
以下、図３に沿って説明する。図３（ａ）と図３（ｃ）は、帯電ローラ１０２ｂからのトナーの吐出し時間が、帯電ローラ１０３ｂの周期より長い場合（比較例）と短い場合（本実施形態）の、帯電ローラ１０２ｂから付着トナーを吐出す様子を示し、図３（ｂ）と図３（ｄ）は、さらに吐出されたトナーが帯電ローラ１０３ｂによって帯電される様子を示す。３１、３５は帯電前のトナー、３２、３６は帯電済みのトナー、３３、３７は帯電しきれずに帯電ローラ１０３ｂに付着したトナーを示す。また、３４、３８は帯電ローラ１０３ｂと中間転写ベルト６０のニップ部を示す。Ｈ１は帯電ローラ１０３ｂ上の付着トナー３７の先端を示す。
【００２９】
帯電ローラ１０２ｂからのトナーの吐出時間が、帯電ローラ１０３ｂの周期より長い場合には、図３（ｂ）に示すように、帯電ローラ１０２ｂから吐出されたトナーを帯電ローラ１０３ｂによって帯電するプロセスにおいて、付着トナー３３がニップ部３４において未帯電トナー３１の帯電を妨害してしまい、像担持体としての感光体ドラムへの回収不良、さらには画像不良が発生してしまうのに対し、本構成では、帯電ローラ１０２ｂからのトナーの吐出し時間が、帯電ローラ１０３ｂの周期より短い。このため、図３（ｄ）に示すように、帯電ローラ１０２ｂから吐出されたトナーを帯電ローラ１０３ｂによって帯電するプロセスにおいて、付着トナー３７の先端Ｈ１が、ニップ部３８に進入する前に、該帯電プロセスは終了する。このため、帯電ローラ１０２ｂからの吐出しトナー全てを確実に帯電することができる。従って、吐出しトナーの感光体ドラムへの回収も確実に行うことができ、中間転写ベルトを画像印字率や環境などによらず常に画像不良のない高画質な印字を提供できる。
【００３０】
また本構成は、帯電ローラ１０３ｂの電圧オフタイミングが、帯電ローラ１０３ｂからのトナー吐出しの後であることによっても利点を持つ。以下、図４を用いて説明する。図４（ａ）、（ｂ）、（ｃ）は帯電ローラ１０２ｂからの吐出しトナーを帯電ローラ１０３ｂで帯電した後の帯電ローラ１０３ｂの電圧オフタイミングを場合分けした図であり、それぞれ、帯電しきれずに帯電ローラ１０３ｂに付着したトナーがニップ部に進入する前と、ニップ部を通り中間転写ベルトに吐出されている時（比較例）と、吐出した後（本実施形態）の様子を示す。
【００３１】
図４（ｄ）は図４（ｃ）の後の様子をあらわす。Ｍ１は帯電済みのトナー、Ｍ２は帯電しきれずに付着したトナー、Ｍ３は付着した後に吐き出されたトナーを示す。Ｍ５は電圧オフ時に帯電ローラ１０３ｂ上に残留しているトナーであり、Ｍ６は残留トナーＭ５が吐出されたものである。Ｎ１は電圧オフ時にニップ部を通過したトナーを示す。Ｎ２はトナーＮ１のうち帯電ローラ１０３ｂに残りつづけているもので、Ｎ３は残留トナーＮ２が帯電ローラ１０３ｂの周期で中間転写ベルト上に吐出されたものである。
【００３２】
図４（ｃ）に示すように、帯電ローラ１０３ｂに付着したトナーがニップ部を通過している時に電圧オフし、その瞬間にニップ部を通過したトナーＮ１は、その後図４（ｄ）のＮ２に示すように帯電ローラ１０３ｂ上に残留し、その一部が中間転写ベルト上に吐出されつづけ、さらに吐出されたトナーＮ３は感光体ドラムに回収されないため、中間転写ベルトを汚し、画像不良などが発生する。尚、電圧オフ時の残留トナーＭ５は、Ｍ３同様に、Ｍ６のように一度に吐出され、感光体ドラムに回収される。
【００３３】
それに対し本構成では、図４（ｂ）に示すように、帯電ローラ１０３ｂに付着したトナーがＭ３のように吐出された後に電圧オフし、全て感光体ドラムに回収されるため、高画質な印字を提供できている。さらに図４（ａ）に示すように、帯電ローラ１０３ｂに付着したトナーがニップ部に進入する前に電圧オフしても、付着トナーＭ２は吐出され、感光体ドラムに回収されるため、高画質な印字を提供できる。尚、電圧オフの代わりにバイアスを切換えたり、離間する場合においても、図４（ａ）、（ｂ）のタイミングで行うことによって、同様の効果を得られる。したがって、本実施形態では付着トナー除去行程で後回転を終了する構成を示したが、この後さらに帯電ローラ１０２ｂ、１０３ｂ、一次転写ローラ７ｂに印加する電圧を切換え、中間転写ベルトのクリーニングをしてから後回転を終了したり、印字シーケンスを継続する場合においても採用できる。
【００３４】
（第２実施形態）
本発明の第２実施形態を説明する。図５は、本発明に係る画像形成装置の一例としての、電子写真プロセスを利用したカラーの画像形成装置を示す図である。１０４ｂ、１０５ｂは中間転写ベルト６０に従動し同周速で回転する、帯電手段としての帯電ローラ（第一帯電手段１０４ｂ、第二帯電手段１０５ｂ）で、周長は１０４Ｌ、１０５Ｌであり、中間転写ベルト６０に対して不図示の当接離間の機構を有し、所望の時間に当接できる。１０４ａ、１０５ａはそれぞれ帯電ローラ１０４ｂ、１０５ｂに電圧を印加する直流電圧電源、交番電圧電源である。その他の記号が示す部材は図９と同様である。尚、１０４Ｌ、１０５Ｌの間には以下の関係がある。
【００３５】
１０５Ｌ＞１０４Ｌ　・・・▲２▼
【００３６】
図６は、本発明における付着トナー除去行程の一例としての、後回転行程における各バイアスの印加タイミングを示す図である。本発明における印字シーケンスは、従来例と同様の画像形成行程及び二次転写残トナー除去行程に加えて、後回転時の付着トナー除去行程として本発明特有の構成を採用したものである。以下、図６に沿って付着トナー除去行程について説明する。
【００３７】
帯電ローラ１０４ｂにおいては、二次転写残トナーの帯電後、吐き出しバイアスへ切換えて、帯電ローラ１０４ｂの周上全面から付着トナーを吐出す。また帯電ローラ１０５ｂにおいては、吐出しトナーがニップを通過する時間帯に付着トナー帯電用のバイアスを印加する。さらに、この付着トナーの帯電によって帯電ローラ１０５ｂに付着したトナーが吐出されるまで、バイアスを印加しつづける。一次転写ローラ７ｂへの回収バイアスの印加は、帯電ローラ１０５ｂからの吐出しトナーの回収を終えるまで行う。
【００３８】
具体的には、プロセス速度Ｖが１２０ｍｍ／ｓ、帯電ローラ周長１０４Ｌ、１０５Ｌが４８．０ｍｍ、６０．０ｍｍ、Ｌ２、Ｌ３が１２．０ｍｍ、９４．２ｍｍである場合の付着トナー除去行程において、帯電ローラ１０４ｂにおいて、二次転写残トナーの帯電後、ローラ周期（１０４Ｌ／Ｖ）＝０．４００ｓの間吐出しバイアスを印加する。また帯電ローラ１０５ｂにおいて、帯電ローラ１０４ｂにおける吐出し開始からＬ２／Ｖ＝０．１００ｓ後に、吐き出しトナー帯電用のバイアスの印加を開始し、（吐出し時間）＋（帯電ローラ１０５ｂの周期）＝（１０４Ｌ＋１０５Ｌ）／Ｖ＝０．９００ｓの間印加する。一次転写ローラ７ｂへの回収バイアスの印加は、帯電ローラ１０５ｂの吐出し終了からＬ３／Ｖ＝０．７８５ｓ後まで行う。
【００３９】
本構成では、第１実施形態と同様の効果を、帯電ローラに駆動源を用いることなく得られた。
【００４０】
（第３実施形態）
本発明の第３実施形態を説明する。図７は、本発明に係る画像形成装置の一例としての、電子写真プロセスを利用したカラーの画像形成装置を示す図である。１０６ｂ、１０７ｂは中間転写ベルト６０に従動し同周速で回転する、帯電手段としての帯電ローラ（第一帯電手段１０６ｂ、第二帯電手段１０７ｂ）で、周長は１０６Ｌ、１０７Ｌであり、中間転写ベルト６０に対して不図示の当接離間の機構を有し、所望の時間に当接できる。１０６ａ、１０７ａはそれぞれ帯電ローラ１０６ｂ、１０７ｂに電圧を印加する直流電圧電源、交番電圧電源である。その他の記号が示す部材は図９と同様である。尚、１０６Ｌ、１０７Ｌの間には以下の関係がある。
【００４１】
１０６Ｌ＞１０７Ｌ　・・・▲３▼
【００４２】
図８は、本発明における付着トナー除去行程の一例としての、後回転行程における、各バイアスの印加タイミングを示す図である。本発明における印字シーケンスは、従来例と同様の画像形成行程及び二次転写残トナー除去行程に、後回転時の付着トナー除去行程のみ本発明特有の構成を採用したものである。以下、図８に沿って付着トナー除去行程について説明する。
【００４３】
帯電ローラ１０６ｂにおいては、二次転写残トナーの帯電後、吐き出しバイアスへ切換えて、帯電ローラ１０７ｂの周期より短い時間だけ付着トナーを吐出す。また帯電ローラ１０７ｂにおいては、吐出しトナーがニップを通過する時間帯に付着トナー帯電用のバイアスを印加する。さらに、この帯電によってローラに付着したトナーを吐出しきるまで、バイアスを印加しつづける。帯電ローラ１０７ｂからの吐出しが終了したら、さらに帯電ローラ１０６ｂにおいて、一度目の吐出しの際に吐出せなかった付着トナーを吐出し、帯電ローラ１０７ｂにおいても同様に、吐出しトナーの帯電、吐出しを行う。以下、帯電ローラ１０６ｂの付着トナーが全て吐出されるまで行う。一次転写ローラ７ｂへの回収バイアスの印加は、全てのトナーの回収を終えるまで行う。
【００４４】
具体的には、プロセス速度Ｖが１２０ｍｍ／ｓ、帯電ローラ周長１０６Ｌ、１０７Ｌが７２．０ｍｍ、６０．０ｍｍ、Ｌ２、Ｌ３が１２．０ｍｍ、９４．２ｍｍである場合の付着トナー除去行程において、帯電ローラ１０６ｂにおいて、二次転写残トナーの帯電後、ローラ周期の半分（１０６Ｌ／（２×Ｖ））＝０．３００ｓの間吐出しバイアスを印加する。また帯電ローラ１０７ｂにおいて、帯電ローラ１０６ｂにおける吐出し開始からＬ２／Ｖ＝０．１００ｓ後に、吐き出しトナー帯電用のバイアスの印加を開始し、（吐出し時間）＋（帯電ローラ１０７ｂの周期）＝（１０６Ｌ／２＋１０７Ｌ）／Ｖ＝０．８００ｓの間印加する。またさらにこのタイミングを起点として、帯電ローラ１０６ｂ、１０７ｂへのバイアス印加を同様に繰り返し、残りの付着トナーの吐出しと帯電を行う。一次転写ローラ７ｂへの回収バイアスの印加は、帯電ローラ１０７ｂの吐出し終了からＬ３／Ｖ＝０．７８５ｓ後まで行う。
【００４５】
本構成では、二つの帯電手段の周期の関係によらず、第２実施形態と同様の効果を得ることができた。尚、ここでは、第一帯電手段に付着したトナーの吐出しを、２回に分けてローラ全面について行う構成を示したが、第一と第二帯電手段の周期の関係によっては、２回ではローラ全面から吐出せない場合もあるので、その場合は必要に応じて数回に分けるとよい。
【００４６】
また、ここでは、１回の後回転時に第一帯電手段の全面をクリーニングする構成を示したが、要は画像不良などの不具合が発生しないように付着トナーの蓄積量を抑制すればよいので、必ずしも後回転時ごとにローラ全面についてクリーニングせずとも、１回の後回転行程では１回だけ吐出しを行い、数回の後回転行程に分けてローラ全面をクリーニングするようにしてもよい。
【００４７】
さらにここでは第一帯電手段の周期が第二帯電手段より長い構成、すなわち１回の吐出し行程ではローラ全面についてクリーニングできない構成を示したが、周期の関係によらず、本構成のように、１回の吐出し行程で第一帯電手段から第二帯電手段の回転周期より短い時間だけ吐出しを行ってもよい。
【００４８】
【発明の効果】
以上のように、本発明においては、第一帯電手段に付着した残トナーに対して二次転写時と逆極性の電圧を印加することにより、残トナーを中間転写体に再転写する行程を有し、前記第一帯電手段の回転周期は、第二帯電手段の回転周期よりも短いことを特徴とするため、前記第一帯電手段へ付着した残トナーの蓄積に起因する画像不良などの不具合を抑制することができる。
【図面の簡単な説明】
【図１】第１実施形態の画像形成装置の概略構成を示す図。
【図２】第１実施形態の付着トナー除去行程における各バイアスの印加タイミングを示す図。
【図３】付着トナー除去行程における、付着トナーの吐出しと、その帯電に関する概略を示す図。
【図４】付着トナー除去行程における、付着トナーの吐出しと、電圧オフタイミングに関する概略を示す図。
【図５】第２実施形態の画像形成装置の概略構成を示す図。
【図６】第２実施形態の付着トナー除去行程における各バイアスの印加タイミングを示す図。
【図７】第３実施形態の画像形成装置の概略構成を示す図。
【図８】第３実施形態の付着トナー除去行程における各バイアスの印加タイミングを示す図。
【図９】従来の残トナーを帯電する手段を有する画像形成装置の一例を示す図。
【図１０】従来のページ間プロセスにおける各バイアスの印加タイミングを示す図。
【符号の説明】
Ｐ　…転写材、Ｒ　…レジストローラ、Ｔ１　…一次転写部、Ｖ　…プロセス速度、
１　…感光体ドラム、２　…帯電ローラ、３　…露光装置、３ａ　…露光位置、
４　…支持体、４ａ　…現像装置、４ｂ　…現像装置、４ｃ　…現像装置、
４ｄ　　…現像装置、５　…光学センサ、５ａ　…位置検知部材、
５ｂ　…検知部、６ｂ　…駆動ローラ、６ｃ　…張架ローラ、
６ｄ　…二次転写対向ローラ、７ａ　…高圧電源、７ｂ　…一次転写ローラ、
９　…二次転写ローラ、１１　…定着装置、１３　…感光体ドラムクリーナー、
３１　…未帯電トナー、３２　…帯電済トナー、３３　…付着トナー、
３４　…ニップ部、３５　…未帯電トナー、３６　…帯電済トナー、３７　…付着トナー、
３８　…ニップ部、６０　…中間転写ベルト、
１０２ａ　…直流電圧電源、１０２ｂ　…帯電ローラ、
１０３ａ　…交番電圧電源、１０３ｂ　…帯電ローラ、
１０４ａ　…直流電圧電源、１０４ｂ　…帯電ローラ、
１０５ａ　…交番電圧電源、１０５ｂ　…帯電ローラ、
１０６ａ　…直流電圧電源、１０６ｂ　…帯電ローラ、
１０７ａ　…交番電圧電源、１０７ｂ　…帯電ローラ、
【図１】
2004117642.tif 000003
【図２】
2004117642.tif 000004
【図３】
2004117642.tif 000005
【図４】
2004117642.tif 000006
【図５】
2004117642.tif 000007
【図６】
2004117642.tif 000008
【図７】
2004117642.tif 000009
【図８】
2004117642.tif 000010
【図９】
2004117642.tif 000011
【図１０】
2004117642.tif 000012